(57)【要約】【課題】ストッパを使用することなく、閉じ位置から所定角度まで移動して開放位置を維持するようにする。【解決手段】扉開閉位置決め装置は、画像形成装置のフレーム本体に上下方向の軸心を中心に扉を開閉自在に支持するヒンジと、フレーム本体と扉との互いの対向部の一方に形成されたカム部Ｋと、他方に設けられたカムフォロアＦとを備え、カム部Ｋは、カムフォロアＦを介して、扉を開方向（矢印Ｒ１方向）に付勢する第１のカム面Ｋ１〜Ｋ３と、開方向にも閉方向（矢印Ｒ２方向）にも付勢しない第２のカム面Ｋ５とを、有している。開閉部は、さらに開放されると第２のカム面に対応して開閉部は開方向に付勢されるので大きな開放角度を要求される、例えばジャム処理作業の作業性を向上させることができる。【選択図】図７
2015125181.tif 000002
【特許請求の範囲】
【請求項１】
開閉部を装置本体に軸支する開閉支持装置において、
前記装置本体と前記開閉部との互いの対向部の一方に形成されたカム部と、
他方に設けられたカムフォロアと、を備え、
前記カム部は、
前記カムフォロアを介して、前記開閉部を閉じ位置から開放方向に所定角度まで移動させると共に該所定角度で開放状態を維持させる第１のカム面と、
前記開閉部が前記所定角度を超えて開放されることで前記開閉部を更に開方向に移動させる第２のカム面と、が軸に設けられている、
ことを特徴とする開閉支持装置。
【請求項２】
前記対向部は、前記カム部と前記カムフォロアとが上下方向に対向している、
ことを特徴とする請求項１に記載の開閉支持装置。
【請求項３】
前記カム部と前記カムフォロアとは、前記開閉部の自重によって当接されている、
ことを特徴とする請求項２に記載の開閉支持装置。
【請求項４】
前記カム部及び前記カムフォロアは、前記開閉部を軸支するヒンジの一部に形成されている、
ことを特徴とする請求項３に記載の開閉支持装置。
【請求項５】
画像形成装置本体の扉を軸支する開閉支持装置として請求項１ないし４のいずれか１項に記載の開閉支持装置を備え、記録材に画像を形成する、
ことを特徴とする画像形成装置。
【請求項６】
前記扉は、前記装置本体の側面に配設され、軸心が前記装置本体の背面側に配置されている、
ことを特徴とする請求項５に記載の画像形成装置。
【請求項７】
前記扉は、内面側に、画像形成部で画像が形成される記録材を搬送する搬送パスの一部を有し、
前記扉の開放に伴う前記搬送パスの一部の移動により、前記搬送パスが開放される、
ことを特徴とする請求項６に記載の画像形成装置。
【発明の詳細な説明】
【技術分野】
【０００１】
本発明は、扉の開閉状態を維持する開閉支持装置、及びこれを備えた画像形成装置に関する。
【背景技術】
【０００２】
複写機、プリンタ等の画像形成装置において、装置本体の内側に、画像形成部やシート搬送パスが設けられている。このため、画像形成部やシート搬送パスのメンテナンス、紙詰まりを起こしたシート（ジャム紙）の除去等の作業は、フレーム本体によって開閉自在に支持された扉を開放して行っている（特許文献１，２参照）。
【０００３】
このような画像形成装置においては、開放された扉は、不用意に簡単に閉じたり、開いたりされないように、所定の角度範囲において、その扉の開放状態が適度な抵抗を持って維持されることが好ましい。
【０００４】
上述の特許文献１においては、フレーム本体と扉との間にストッパを設け、開放された扉を、ストッパにより、所定の角度範囲内で、適度な抵抗を持って維持するようにしている。
【０００５】
一方、特許文献２においては、フレーム本体と扉との間に設けたヒンジの近傍に、カム部とカムフォロアとを設け、これらを当接させることにより、扉を所定の角度範囲内で、適度な抵抗を持って維持するようにしている。
【先行技術文献】
【特許文献】
【０００６】
【特許文献１】特開２００７−９４１８６号公報
【特許文献２】特開２００７−１８７８１５号公報
【発明の概要】
【発明が解決しようとする課題】
【０００７】
しかし、上述の特許文献１によると、扉を開放した際に、フレーム本体と扉との間にストッパが掛け渡されることになり、このストッパが作業の邪魔になるという問題があった。
【０００８】
一方、上述の特許文献２によると、扉は閉じ位置から開放しようとすると、カム部が扉を閉鎖する方向に移動させるので、作業性が悪いといった問題があった。
【０００９】
本発明は、開閉部が閉じ位置から所定角度まで開放方向に移動させられると共にストッパを設けることなくその角度で開放状態が維持され、その角度を超えて開放されることで更に開放方向に移動させられる開閉支持装置を提供することにある。また、この開閉支持装置を備えた画像形成装置を提供することにある。
【課題を解決するための手段】
【００１０】
本発明の開閉支持装置は、開閉部を装置本体に軸支する開閉支持装置であって、前記装置本体と前記開閉部との互いの対向部の一方に形成されたカム部と、他方に設けられたカムフォロアと、を備え、前記カム部は、前記カムフォロアを介して、前記開閉部を閉じ位置から開放方向に所定角度まで移動させると共に該所定角度で開放状態を維持させる第１のカム面と、前記開閉部が前記所定角度を超えて開放されることで前記開閉部を更に開方向に移動させる第２のカム面と、が軸に設けられている、ことを特徴としている。
【００１１】
また、本発明の画像形成装置は、画像形成装置本体の扉を軸支する開閉支持装置として上記の開閉支持装置を備え、記録材に画像を形成する、ことを特徴としている。
【発明の効果】
【００１２】
本発明の開閉支持装置によれば、ロックを解除された開閉部は、第１のカム面に対応して所定角度まで開放して開放位置を維持するのに、ロックを解除するだけで自動的に回動するようになっている。このため、僅かな開放状態で行える、例えば、消耗品の補給・交換作業の作業性を向上させることができる。また、開閉部は、さらに開放されると第２のカム面に対応して開閉部は開方向に付勢されるので大きな開放角度を要求される、例えばジャム処理作業の作業性を向上させることができる。
【００１３】
本発明の開閉支持装置によれば、開閉部が閉じ位置から所定角度まで開放方向に移動させられると共にストッパを設けることなくその角度で開放状態が維持される。このため、僅かな開放状態で行える、例えば、消耗品の補給・交換作業の作業性を向上させることができる。また、開閉部は、その角度を超えて開放されることで、さらに開放方向に移動させられるようになっている。このため、大きな開放角度を要求される、例えば、ジャム処理作業時などのときの作業性を向上させることができる。
【図面の簡単な説明】
【００１４】
【図１】画像形成装置の外観を左斜め上方から見た斜視図である。
【図２】画像形成装置の内部の構成を示す正面図である。
【図３】扉ユニット（扉）を開放して扉開閉位置決め装置の位置を示す斜視図である。
【図４】図３中のＡの箇所近傍の拡大図である。
【図５】図４中のヒンジ軸を斜め上方から見た斜視図である。
【図６】図４中のヒンジ軸受を斜め下方から見た斜視図である。
【図７】周方向に沿って形成されたカム部を展開して、各カム面とカムフォロアとの位置関係を説明する模式図である。
【発明を実施するための形態】
【００１５】
本発明の扉開閉位置決め装置及びこれを備えた画像形成装置を、図１〜図７に基づいて説明する。まず、画像形成装置１について説明し、次いで、開閉支持装置としての扉開閉位置決め装置５０について説明する。
【００１６】
［画像形成装置］
図１、図２を参照して、画像形成装置１について説明する。ここで、図１は、画像形成装置１の外観を左斜め上方から見た斜視図である。なお、以下の説明では、説明の便宜上、図１中及び図２中の左上に矢印で示す上下左右前後の方向が、画像形成装置１の上下左右前後の方向に対応するものとして説明する。
【００１７】
図１に示すように、画像形成装置１は、箱型のフレーム本体（画像形成装置本体）１０を備えている。フレーム本体１０の前面側には、操作パネル１１、左前扉１２、及び右前扉１３が配設されている。操作パネル１１は、ユーザが例えば、画像形成枚数や画質等の画像形成条件を指定したり、紙詰まりやトナー切れ等をユーザに知らせたりするものである。左前扉１２及び右前扉１３は、後述する画像形成部２０を保守点検したり、現像剤補給容器（トナーボトル）２４ａ（図２参照）を着脱したりする際に開閉される。左前扉１２及び右前扉１３の下方には、画像形成される紙等の記録材としてのシートＳを積層状態で収納した給紙カセット１４が前面側から装着されている。
【００１８】
フレーム本体１０の上部には、画像読取装置１５が配設されており、画像読取装置１５の下方で、かつ操作パネル１１の後方（奥側）には、画像形成後のシートＰが排出される排紙トレイ１６が設けられている。
【００１９】
フレーム本体１０の左側面（側面）１０ａには、扉ユニット（扉、開閉部）１７が配設されている。扉ユニット１７は、フレーム本体１０の左側面１０ａの後側に配設された後述のヒンジＨを介して、開閉自在に支持(軸支)されている。このため、扉ユニット１７は、上下方向の軸心Ｃ１を基準として、開放方向（矢印Ｒ１方向）に開放され、また、この逆の閉方向（矢印Ｒ２方向）に閉鎖される。なお、扉ユニット１７については後に詳述する。
【００２０】
図２は、画像形成装置１の内側（内部）の構成を示す概略正面図である。画像形成装置１は、下部に配設された給紙カセット１４から上部の排紙トレイ１６に向けて延びる搬送パスＰＴ１を備えており、この搬送パスＰＴ１の途中に画像形成部２０が設けられている。
【００２１】
画像形成部２０は、感光ドラム２１と、その回転方向（矢印方向）に沿ってほぼ順に配設された帯電ローラ２２、レーザユニット２３、現像装置２４の現像ローラ２５、転写ローラ２６、及びクリーニング装置２７を有している。感光ドラム２１は、矢印方向（図２中の時計回り）に回転駆動され、表面が帯電ローラ２２によって帯電される。帯電後の感光ドラムの表面は、レーザユニット２３によって露光され、露光部分の電位が変化させられて静電潜像が形成される。ここで、レーザユニット２３は、画像読取装置１５からの画像信号に基づいて発光されるものである。画像読取装置１５は、原稿Ｇが画像面を下向きにして載置される原稿台ガラス２８と、この原稿Ｇを原稿台ガラス２８に密着させる開閉自在な押圧板２９と、光源を搭載したキャリッジ３０を有している。キャリッジ３０は、矢印方向（図２中の右方）に移動しながら原稿Ｇの画像情報を読み取る。上述のレーザユニット２３は、この画像情報に基づいてオン／オフ制御されたレーザ光Ｌにより、帯電後の感光ドラム表面を露光して静電潜像を形成する。この静電潜像は、現像ローラ２５によってトナーが付着されてトナー像として現像される。このトナー像は、感光ドラム２１の回転により、感光ドラム２１と転写ローラ２６との間の転写ニップ部に搬送される。
【００２２】
一方、給紙カセット１４内のシートＳは、ピックアップローラ３１によって、１枚だけ給紙されて搬送され、レジストローラ３２によって、感光ドラム２１上のトナー像が転写ニップ部に搬送されるタイミングに合わせて、転写ニップ部に搬送される。これにより、トナー像は、転写ローラ２６によってシートＳ上に転写される。なお、このときシートＳに転写されないで感光ドラム２１上に残った転写残トナーは、クリーニング装置２７によって除去される。転写残トナーが除去された感光ドラム２１は、帯電から始まる次の画像形成に供される。
【００２３】
トナー像転写後のシートＳは、加熱ローラ３３とこれに圧接された加圧ローラ３４とを有する定着装置によって、加熱、加圧されて、表面にトナー像が定着される。トナー像定着後のシートＳは、排出ローラ３５によって、排紙トレイ１６上に排出される。以上で、シートＳの片面（表面）に対する画像形成が終了する。
【００２４】
ここで、シートＳの両面（表面及び裏面）に画像形成する場合には、両面用の搬送パスＰＴ２が使用される。搬送パスＰＴ２は、シートＳの表面側をガイドする表面ガイドＧａと裏面側をガイドする裏面ガイドＧｂ（搬送パスＰＴ２の一部）とが対向して形成されている。表面にトナー像が定着されたシートＳは、その後端が排出ローラ３５を通過し終える前に、排出ローラ３５が停止し、さらに逆転することにより、両面用の搬送パスＰＴ２に導かれる。シートＳは、搬送パスＰＴ２に沿って下降し、搬送パスＰＴ２の下端で向きを変えて、上述のレジストローラ３２に再び供給される。そして、上述の、表面に対する画像形成と同様の画像形成が裏面に対しても行われた後、排紙トレイ１６上に排出される。
【００２５】
［扉開閉位置決め装置］
図３は、扉ユニット（扉、開閉部）１７を開放して、開閉支持装置としての扉開閉位置決め装置５０の位置を示す斜視図である。上述の両面用の搬送パスＰＴ２を構成する表面ガイドＧａと裏面ガイドＧｂとのうち、表面ガイドＧａは、フレーム本体１０側に配設され、裏面ガイドＧｂは、扉ユニット１７の内面側に配設されている。このため、フレーム本体１０に対して扉ユニット１７を開放することにより、両面用の搬送パスＰＴ２を露出させて、ここで紙詰まり（ジャム）を起こしていたシートＳ（ジャム紙）の除去が可能となる。
【００２６】
また、扉ユニット１７の内面側には、上部に、フレーム本体１０の内部を冷却するための冷却ファン３６及びダクト３７を有する冷却装置３８が配設されている。さらに、扉ユニット１７には、シートＳを手差しで給紙するための、開閉自在な手差しトレイ３９が配設されている。
【００２７】
この扉ユニット１７は、フレーム本体１０により、扉開閉位置決め装置５０を介して、上下方向の軸心Ｃ１を中心に開閉自在に支持されている。図１〜図３に例示する画像形成装置１は、一般に、フレーム本体１０の背面側を、事務所等部屋の壁面に沿わせて配置される。これに合わせて、軸心Ｃ１は、フレーム本体１０の左側面１０ａの後側に設定されている。このため、扉ユニット１７は、９０度よりも少し大きい角度で開放することができれば、保守点検時や紙詰まり時等の作業に十分対応することができる。なお、本実施形態では、図３に示すように、同様の扉開閉位置決め装置５０が扉ユニット１７の上側と下側との２箇所に配設されている場合を説明するが、これに代えて、１箇所または３箇所以上に配設するようにしてもよい。
【００２８】
図４は、図３中のＡの箇所、すなわち、下側に配設された扉開閉位置決め装置５０の拡大図である。また、図５は、図４中のヒンジ軸５１を斜め上方から見た斜視図である。また、図６は、図４中のヒンジ軸受５２を斜め下方から見た斜視図である。そして、図７は、周方向に沿って形成されたカム部５３を展開して、各カム面Ｋ１〜Ｋ６とカムフォロアＦとの位置関係を説明する模式図である。なお、Ｋ１〜Ｋ３は第１のカム面であり、Ｋ５は第２のカム面である。
【００２９】
図４〜図６に示すように、扉開閉位置決め装置５０は、ヒンジＨと、カムフォロアＦと、カム部Ｋとを備えて構成されている。
【００３０】
ヒンジＨは、フレーム本体１０側に設けられたヒンジ軸５１と扉ユニット１７側に設けられたヒンジ軸受５２とを組み合わせて構成されている。ヒンジ軸５１は、台座５１ａとこの台座５１ａの上面５１ｂから上方に向けて突設されたピン５１ｃとを有している。カムフォロアＦは、台座５１ａの上面５１ｂにおいて、ピン５１ｃの基端部に隣接するようにして上方に向けて突設されている。カムフォロアＦの上面、すなわち、後述のカム部Ｋに接触する面は、滑らかな円弧状に形成されている。カムフォロアＦは、同形のものが、ピン５１ｃに対して１８０度異なる位置のそれぞれに設けられている。
【００３１】
ヒンジ軸受５２は、円筒状の軸受部５２ａを有していて、この内面には、上述のピン５１ｃが下方から挿入されるピン孔５２ｂが形成されている。円筒状の軸受部５２ａの下面には、周方向に沿ってカム部Ｋが形成されている。本実施形態では、カム部Ｋは、周方向に沿って一方向に上昇する傾斜面、一方向に下降する傾斜面、及びこれらの間の平坦面によって構成されている。上述のカムフォロアＦとカム部Ｋとは、ヒンジ軸５１とヒンジ軸受５２との互いの対向部、つまり、フレーム本体１０と扉ユニット１７との互いに上下方向に対向する対向部に形成されていることになる。なお、本実施形態では、扉ユニット１７の自重により、フレーム本体１０側のカムフォロアＦに対して、扉ユニット１７側のカム部Ｋが当接されている。
【００３２】
図７は、ヒンジ軸受５２の下面の周方向に沿って形成されたカム部Ｋを展開して、各カム面Ｋ１〜Ｋ６とカムフォロアＦとの位置関係を説明する模式図である。なお、同図では、一方のカムフォロアＦが当接するカム部Ｋ（０〜９５度）のみを図示しているが、他方のカムフォロアＦが当接するカム部Ｋ（１８０〜２７５度）も一方のカム部（０〜９５度）と同様な形状に形成されているものとする。このようにカムフォロアＦを２箇所に設け、カム部Ｋを上述のように形成することにより、カムフォロアＦが１箇所の場合と比較して、カム部Ｋを介して扉ユニット１７に作用する回転方向の付勢力が円滑に伝達されるようになる。
【００３３】
上述のように、カムフォロアＦは、フレーム本体１０側に設けられ、カム部Ｋは、扉ユニット１７側に設けられている。このため、フレーム本体１０に対して扉ユニット１７を開放していくと、これに伴い、カムフォロアＦに対してカム部Ｋが回転することになる。このときの扉ユニット１７の開放角度と、カム部Ｋの回転角度とは同じとなる。
【００３４】
図７に示すように、カム部Ｋは、カム面Ｋ１〜カム面Ｋ６が、軸心Ｃ１を中心とした周方向に連続して設けられている。
【００３５】
カム部Ｋは、扉ユニット１７の閉鎖状態に対応する状態を角度０度とすると、カム部Ｋの回転角度と、扉ユニット１７の開放角度とは、一致する。カム部Ｋのカム面Ｋ１は、角度が進むほど傾斜面の位置が高くなる。また、カム面Ｋ２は、角度が進んでも高さが一定である。また、カム面Ｋ３は、角度が進むほど傾斜面の位置が低くなる。そして、カム面Ｋ４はカム面Ｋ２と同様に角度が進んでも高さが一定であり、カム面Ｋ５は、カム面Ｋ１と同様に角度が進むほど傾斜面の位置が高くなり、カム面Ｋ６は、カム面Ｋ２と同様に角度が進んでも高さが一定である。なお、カム面Ｋ４における周方向の両端近傍（図７における３０度及び３５度近傍）にカムフォロアＦが乗り越える際に適度な抵抗となる下向きの小さな凸部（不図示）を設けるとよい。これにより、カム面Ｋ４に当接しているカムフォロアＦが、カム面Ｋ３及びカム面Ｋ５側に容易に相対移動することを防止することができる。上記カム面Ｋ１、Ｋ２により本発明にいうカム面が形成されており、カム面Ｋ５によりカム面が形成されている。
【００３６】
ここで、一例を示すと、カム面Ｋ１〜Ｋ６は、この順に、０度〜５度、５度〜２５度、２５度〜所定角度の３０度、３０度〜３５度、３５度〜９０度、９０度〜９５度の角度範囲にそれぞれ形成されている。
【００３７】
これによると、ユーザが不図示のボタン等を押して扉ユニット１７のロックを解除して０度〜５度の間で開放した場合には、カム面Ｋ１がカムフォロアＦに乗っかる。このため、扉ユニット１７に、カムフォロアＦを介して、開方向（矢印Ｒ１方向）の付勢力が作用する。したがって、この角度範囲内では、ユーザは、扉ユニット１７を開方向の付勢力の分だけ軽い力で開放位置に開放することができる。逆に、ユーザは、この角度範囲内にある扉ユニット１７を閉じようとする場合、開方向の付勢力の分だけ重い力が必要となる。なお、この角度範囲内で扉ユニット１７を開放する場合には、扉ユニット１７は、カム面Ｋ１の０度と５度との高さの差に相当する分だけ、下降することになる。つまり、扉ユニット１７の開放が軽くなるのは、扉ユニット１７の位置エネルギーが減少することに起因する。逆に、扉ユニット１７の閉鎖が重くなるのは、扉ユニット１７の位置エネルギーが増加することに起因する。
【００３８】
続いて、ユーザが扉ユニット１７を５〜２５度の間で開放した場合には、カム面Ｋ２がカムフォロアＦに乗っかるため、扉ユニット１７には、カムフォロアＦを介して、開方向及び閉方向（矢印Ｒ２方向）への付勢力は作用しない。したがって、この角度範囲内では、ユーザは、扉ユニット１７を開閉する際には、開方向へも閉方向へも同じ大きさの力で開閉することになる。これは、この角度範囲内では、扉ユニット１７の位置エネルギーが変化しないことに起因する。また、この角度範囲内では、扉ユニット１７は、カム部ＫとカムフォロアＦとの摩擦力やヒンジ軸受５２のピン孔５２ｂとヒンジ軸５１のピン５１ｃの摩擦力等により、任意の角度で自立してその開放角度を保持することができる。
【００３９】
続いて、ユーザが扉ユニット１７を２５〜３０度の間で開放した場合には、カム面Ｋ３がカムフォロアＦに乗っかるため、扉ユニット１７には、カムフォロアＦを介して、閉方向の付勢力が作用する。したがって、この角度範囲内では、ユーザは、扉ユニット１７を閉方向の付勢力の分だけ重い力で開放することになる。逆に、ユーザは、この角度範囲内にある扉ユニット１７を閉じようとする場合、閉方向の付勢力の分だけ軽い力で閉じることができる。なお、この角度範囲内で扉ユニット１７を開放する場合には、扉ユニット１７は、カム面Ｋ３の２５度と３０度との高さの差に相当する分だけ、上昇することになる。
【００４０】
次に、ユーザが扉ユニット１７を３０〜３５度の間で開放した場合には、平坦なカム面Ｋ４がカムフォロアＦに乗っかるため、カム面Ｋ２の場合と同様である。
【００４１】
また、ユーザが扉ユニット１７を３５〜９０度の間で開放した場合には、カム面Ｋ５がカムフォロアＦに乗っかるため、カム面Ｋ１の場合と同様である。
【００４２】
また、ユーザが扉ユニット１７を９０〜９５度の間で開放した場合には、平坦なカム面Ｋ６がカムフォロアＦに乗っかるため、カム面Ｋ２の場合と同様である。
【００４３】
なお、上述の扉ユニット１７に作用する、開方向の移動する力及閉方向の移動する力としては、例えば、１Ｎ・ｍ程度のモーメントが好適である。
【００４４】
以上のように、本実施形態においては、扉ユニット１７は、カムフォロアＦにカム面Ｋ２、カム面Ｋ４、及びカム面Ｋ６が乗った際に、その開放角度を安定した自立状態で保持することができる。このため、両面用の搬送パスＰＴ２で紙詰まりを起こしたシートＳの除去や、画像形成部２０のメンテナンス等を効率的に行うことができる。
【００４５】
以上のように、本実施形態においては、カムフォロアＦにカム面Ｋ２，Ｋ４，Ｋ６が乗ったときに、扉ユニット１７は、適度な抵抗力を持って、その開放角度を維持することができる。なお、扉ユニット１７は、不図示のストッパに当接することにより最大角度開放されると(本実施例では９５度)、その回動を停止される。
【００４６】
例えば、扉ユニット１７の開放角度は、カム面Ｋ２に対応する角度範囲内では、開放角度が少ないので裏面ガイドＧｂが画像形成部２０の端面を覆う。このため、転写部等を感光ドラム２１から離間するために扉ユニット１７をカム面Ｋ２に開放状態を維持しても感光ドラム２１に外部からの不要な光が照射されて、感光ドラム２１の光疲労が促進されることを防止できる。また、カム面Ｋ４に対応する角度範囲内では、扉ユニット１７に設けられた各部材、例えば、裏面ガイドＧｂやダクト３７や、その他のローラ対の一方等が、フレーム本体１０側の部材に当接することがない。また、カム面Ｋ５に対応する角度範囲内では、少なくとも画像形成装置内を搬送可能なシートＳの最大幅まで扉ユニット１７を開放することができるため、大きく開放した扉ユニット１７を問題とすることなくジャム紙の除去が容易である。
【００４７】
以上の実施形態においては、フレーム本体１０側のヒンジ軸５１にカムフォロアＦを設け、扉ユニット１７側のヒンジ軸受５２にカム部Ｋを設けた場合を例に説明した。これに代えて、これとは逆に、フレーム本体１０側のヒンジ軸５１にカム部Ｋを設け、扉ユニット１７側のヒンジ軸受５２にカムフォロアＦを設けるようにしてもよい。
【００４８】
また、カム部ＫとカムフォロアＦとのうちの少なくとも一方を、ヒンジ軸受５２又はヒンジ軸５１とは別体に設けるようにしてもよい。
【００４９】
また、上述では、カム部ＫとカムフォロアＦとを、扉ユニット１７の自重によって当接させる場合を例に説明したが、自重に代えて、付勢部材を設け、これによってカム部ＫとカムフォロアＦとを当接させるようにしてもよい。
【００５０】
また、上述の扉ユニット１７に対する開方向の付勢力及び閉方向の付勢力の大きさは、カム面Ｋ１，Ｋ３，Ｋ５を形成する斜面の傾斜角度を変更することにより増減することができる。例えば、傾斜面の角度を急にすれば、付勢力が増大し、これとは逆に傾斜面の傾斜各度を緩くすれば、付勢力を減少させることができる。さらに、これらの傾斜面の角度を同じにするのに代えて、異ならせて付勢力の大きさをそれぞれ異なるようにしてもよい。
【００５１】
なお、上述の実施形態において、カム面Ｋ４は、扉ユニット１７を積極的に安定させた状態で保持するものではなく、単に、カム面Ｋ３とカム面Ｋ５とを接続するための分岐部であるとすることも可能である。この場合には、分岐部よりも角度が小さいカム面Ｋ３がカムフォロアＦに乗ると、扉ユニット１７は、カム面Ｋ２側に付勢される。一方、分岐部よりも角度が大きいカム面Ｋ５がカムフォロアＦに乗ると、扉ユニット１７は、カム面Ｋ６側に付勢される。ここで、カムフォロアＦに、平坦面からなるカム面Ｋ２及びカム面Ｋ６以外の、傾斜面からなるカム面Ｋ１、カム面Ｋ３、カム面Ｋ５のいずれかに乗った場合を考える。この場合には、扉ユニット１７は、カム面Ｋ１又はカム面Ｋ３が乗った場合には、カム面Ｋ２に向けて付勢される。一方、扉ユニット１７は、カムフォロアＦにカム面Ｋ５が乗った場合には、カム面Ｋ６に向かって付勢される。つまり、扉ユニット１７は、いずれの開放角度にあっても、適度な抵抗を持って安定した状態、また安定した状態に向けて付勢されることになる。
【符号の説明】
【００５２】
Ｓ…シート（記録材）、Ｃ１…軸心、Ｆ…カムフォロア、Ｇｂ…裏面ガイド（搬送パスの一部）、Ｈ…ヒンジ、Ｋ…カム部、Ｋ１、Ｋ２、Ｋ３…カム面(第１のカム面)、Ｋ４…カム面、Ｋ５…カム面(第２のカム面)、Ｋ６…カム面、ＰＴ２…搬送パス、Ｒ１…開方向、Ｒ２…閉方向、１…画像形成装置、１０…フレーム本体、１７…扉ユニット（扉、開閉部）、２０…画像形成部、５０…扉開閉位置決め装置（開閉支持装置）。
【図１】
2015125181.tif 000003
【図２】
2015125181.tif 000004
【図３】
2015125181.tif 000005
【図４】
2015125181.tif 000006
【図５】
2015125181.tif 000007
【図６】
2015125181.tif 000008
【図７】
2015125181.tif 000009